(57)【要約】【課題】            蓋を容易に閉鎖することができる段ボール箱および段ボール箱展開部材を提供すること。【解決手段】        相互に向かい合う第１フラップ11及び第３フラップ13と、当該第１フラップ11及び第３フラップ13と重畳し相互に向かい合う第２フラップ12及び第４フラップ14とから成る蓋部１と、側面を形成する段ボール本体部２と、段ボールの底面を形成する底部とを有する段ボール箱であって、第１フラップ11の第２フラップ12と重畳しない位置に、当該第１フラップ11を引き上げるための引き上げ用切り欠き部５を有する。【選択図】          図１
2015168455.tif 000002
【特許請求の範囲】
【請求項１】
相互に向かい合う第１フラップ及び第３フラップと、当該第１フラップ及び第３フラップと重畳し相互に向かい合う第２フラップ及び第４フラップとから成る蓋部を有する段ボール箱であって、
前記第１フラップの前記第２フラップと重畳しない位置に、当該第１フラップを引き上げるための引き上げ用切り欠き部を有することを特徴とする段ボール箱。
【請求項２】
前記第４フラップに前記第２フラップの方向へ延伸する１以上の突起部を有し、前記第１フラップ及び前記第３フラップの少なくとも一方には、当該突起部を挿入して係止するための係止穴を有し、
前記引き上げ用切り欠き部は、前記第１フラップと前記第４フラップとが重畳しない位置に配置されることを特徴とする請求項１記載の段ボール箱。
【請求項３】
前記引き上げ用切り欠き部は、前記第１フラップと前記第４フラップとが重畳する位置に配置されることを特徴とする請求項１記載の段ボール箱。
【請求項４】
請求項１ないし３のいずれかに記載の段ボール箱を平面状に展開した状態である段ボール箱展開部材。
【発明の詳細な説明】
【技術分野】
【０００１】
本発明は、組立の容易な蓋を有する段ボール箱および段ボール箱展開部材に関する。
【背景技術】
【０００２】
従来、野菜等を出荷する際に、これらの野菜を収納するために使用される段ボール箱は、蓋を繰り返し開閉する必要から、４つのフラップから成る蓋部を、ステープルやテープ等を用いずに、相互に重畳させる等して閉鎖していた（例えば、特許文献１参照）。
【０００３】
【特許文献１】特開２０１２−２０６７４８
【発明の開示】
【発明が解決しようとする課題】
【０００４】
ここで段ボール箱の蓋部が、相互に向かい合う第１フラップ及び第３フラップと、当該第１フラップ及び第３フラップと重畳し相互に向かい合う第２フラップ及び第４フラップとから成る場合、第１フラップの上に第２フラップ、第３フラップ、第４フラップと順番に重畳し、最後に第４フラップの一部が第１フラップ又は第３フラップの下側になるように組み付けて閉鎖している。そして、この最後の工程である第４フラップの一部を第１フラップ又は第３フラップの下側になるように組み付ける際には、一番下側に位置する第１フラップが下方に押されるのを防止するため第１フラップの一部を引き上げながら組み付けを行っている。
【０００５】
しかしながら、総てのフラップを重畳させている状態においては、第１フラップを引き上げる部分がほとんどないという課題があった。
【０００６】
そこで本発明では、第１フラップの引き上げを容易にし、蓋の閉鎖の容易な段ボール箱および段ボール箱展開部材を提供することを目的とする。
【課題を解決するための手段】
【０００７】
上記目的を達成するために、本発明の段ボール箱は、相互に向かい合う第１フラップ及び第３フラップと、当該第１フラップ及び第３フラップと重畳し相互に向かい合う第２フラップ及び第４フラップとから成る蓋部を有するものであって、前記第１フラップの前記第２フラップと重畳しない位置に、当該第１フラップを引き上げるための引き上げ用切り欠き部を有することを特徴とする。
【０００８】
この場合、前記第４フラップに前記第２フラップの方向へ延伸する１以上の突起部を有し、前記第１フラップ及び前記第３フラップの少なくとも一方には、当該突起部を挿入して係止するための係止穴を有し、前記引き上げ用切り欠き部は、前記第１フラップと前記第４フラップとが重畳しない位置に配置することができる。
【０００９】
また、別の段ボール箱としては、前記引き上げ用切り欠き部は、前記第１フラップと前記第４フラップとが重畳する位置に配置することもできる。
【００１０】
また、本発明の段ボール箱展開部材は、上述した本発明の段ボール箱を平面状に展開した状態のものである。
【発明の効果】
【００１１】
本発明の段ボール箱は、引き上げ用切り欠き部によって第１フラップを引き上げながら第４フラップの組み付けを行えるので、段ボール箱の蓋を容易に閉鎖することができる。
【図面の簡単な説明】
【００１２】
【図１】本発明の段ボール箱を示す斜視図である。
【図２】本発明の段ボール箱を示す展開図である。
【図３】本発明の別の段ボール箱を示す斜視図である。
【図４】本発明の別の段ボール箱を示す展開図である。
【発明を実施するための形態】
【００１３】
以下に、本発明の段ボール箱を図１乃至図４を用いて説明する。本発明の段ボール箱は、相互に向かい合う第１フラップ11及び第３フラップ13と、当該第１フラップ11及び第３フラップ13と重畳し相互に向かい合う第２フラップ12及び第４フラップ14とから成る蓋部１を有するものであって、第１フラップ11の第２フラップ12と重畳しない位置に、当該第１フラップ11を引き上げるための引き上げ用切り欠き部５を有する。
【００１４】
ここで段ボール箱は、上述した第１フラップ11乃至第４フラップ14の４つのフラップを組み合わせて成る蓋部１の他、段ボールの側面を形成する段ボール本体部２と、段ボールの底面を形成する底部から成る。段ボール本体部２は、従来の段ボール箱と同様のもので良く、例えば４つの第１側面21乃至第４側面24からなり組み立てると直方体又は立方体となるものを用いれば良い。もちろん、段ボール本体部２は、これに限定されるものではなく、その他のものを用いることも可能である。また、底部も、従来の段ボール箱と同様のもので良く、例えば図２，図４に示すように、第１側面21乃至第４側面24から蓋部の第１フラップ11乃至第４フラップ14とは反対側に延伸して設けられた４つの第１底部用フラップ31乃至第４底部用フラップ34からなる。そして、これらを適宜組み付けることによって、所望の重量に耐えることのできる底面を形成することができる。もちろん、底部は、これに限定されるものではなく、その他のものを用いることも可能である。なお、段ボール箱の材質は、紙の他、プラスチック等を適宜用いることができ、特に限定されるものではない。
【００１５】
段ボール箱は、組み立て前は、図２，図４に示すように、展開した状態で打ち抜いて加工された段ボール箱展開部材である。この段ボール箱展開部材の４つの側面の境界に形成された折り目にて折り曲げて、第３側面23に形成されたのりしろ部25を第２側面と接続することにより、筒状の直方体とすることができる。この状態から底部及び蓋部１の各フラップを重畳して閉鎖することにより、直方体の箱となる。なお、底部は段ボール箱内に収納される内容物の荷重を直接受け止める部分であるため、図示しないステープルやテープ、ホットメルト材等の固定手段によって固定することも可能である。
【００１６】
蓋部１の第１フラップ11乃至第４フラップ14はそれぞれ第１側面21乃至第４側面24から延伸して設けられ、側面を筒状の直方体とした状態で、各フラップと各側面の境界で折り曲げることにより、第１フラップ11と第３フラップ13及び第２フラップ12と第４フラップ14はそれぞれ相互に向かい合う。また、第１フラップ11及び第３フラップ13に対して第２フラップ12及び第４フラップ14は重畳する。なお、各フラップには、従来から知られている構造を適宜設けても良い。例えば、図１，図２に示すように、第２フラップ12の右側に第３フラップ13の方へ延伸する突起部121を形成し、これを第３フラップ13に形成された係止用穴130に差し込む構造を設けることができる。また、側面にも従来から知られている構造を適宜設けても良い。例えば、図１乃至図４に示すように、第２側面22と第４側面24に段ボール箱を持つための取手用穴240を形成することができる。
【００１７】
このような段ボール箱の蓋部１を閉鎖する最も簡単な方法には、第１フラップ11を第１側面21に対して第３フラップ13側へ折り曲げ、第１フラップ11の上に第２フラップ12を折り曲げて重畳し、次に第２フラップ12の上に第３フラップ13を折り曲げて重畳し、更に第３フラップ13の上に第４フラップ14を折り曲げて重畳し、最後に第４フラップ14の一部（第１フラップ11と第４フラップ14の重畳している部分）を第１フラップ11の下に差し込むものがある。
【００１８】
この場合、第１フラップ11には、第２フラップ12と重畳することがない位置に、当該第１フラップ11を引き上げるための引き上げ用切り欠き部５が形成される。当該引き上げ用切り欠き部５の形状はどのようなものでも良く、例えば図１，図２に示すように、指などを引っ掛けやすい穴状に形成したり、図３，図４に示すように半円状に形成したりすれば良い。
【００１９】
また、引き上げ用切り欠き部５の位置は、少なくとも第２フラップ12と重畳することがない位置であって、第１フラップ11を引き上げやすい位置であればどこに設けても良い。例えば、図１に示すように、第４フラップ14と重畳する位置に設けることができる。
【００２０】
引き上げ用切り欠き部５ををこのように構成することにより、引き上げ用切り欠き部５に指などを引っ掛けて第１フラップ11を引き上げながら第４フラップ14の一部を第１フラップ11の下に簡単に差し込むことができる。なお、第４フラップ14を第１フラップ11の下に差し込むのを容易にするために、第４フラップ14の第１フラップ11と重畳する部分の角を例えば４５度程度傾斜させておいても良い。
【００２１】
なお、蓋部１の閉鎖方法には、第４フラップ14を第１フラップ11の上側に重畳させたまま行うものもある。例えば、図３，図４に示すように、第４フラップ14に第２フラップ12の方向へ延伸する２つの突起部141を形成し、第１フラップ11及び第３フラップ13に、当該突起部141をそれぞれ挿入して係止するための係止用穴100を形成した構造の場合には、第４フラップ14を第１フラップ11の上側に重畳させたまま、当該突起部141を係止用穴100に挿入することで閉鎖することができる。このように、蓋部１の閉鎖状態において、第４フラップ14が第１フラップ11の上側に重畳する構造の場合には、引き上げ用切り欠き部５は、第１フラップ11と第４フラップ14とが重畳しない位置に配置される。
【産業上の利用可能性】
【００２２】
本発明は、野菜等を出荷する際に、これらの野菜を収容するために使用される段ボール箱に適用することができ、引き上げ用切り欠き部によって第１フラップを引き上げながら第４フラップの組み付けを行えるので、段ボール箱の蓋を容易に閉鎖することができる。
【符号の説明】
【００２３】
１  蓋部
２  段ボール本体部
５  引き上げ用切り欠き部
11  第１フラップ
12  第２フラップ
13  第３フラップ
14  第４フラップ
21  第１側面
22  第２側面
23  第３側面
24  第４側面
25  のりしろ部
31  底部用第１フラップ
32  底部用第２フラップ
33  底部用第３フラップ
34  底部用第４フラップ
100  係止穴
121  突起部
130  係止用穴
141  突起部
240  取手用穴
【図１】
2015168455.tif 000003
【図２】
2015168455.tif 000004
【図３】
2015168455.tif 000005
【図４】
2015168455.tif 000006